(57)【要約】【課題】育苗容器用土供給装置の供給シャッターの取付と操作ダイヤルの取付が面倒であった。【解決手段】育苗容器用土供給装置は、移送台３の上方の供給ホッパー４と、該供給ホッパー４の下方の繰出ベルト６と、前記供給ホッパー４と前記繰出ベルト６との間に形成された供給口７と、該供給口７に取付けた供給シャッター１０とを有する。該供給シャッター１０は、その左右の側板１５を前記移送台３に固定のフレーム２２の左右側板２３に横軸２１により回動自在に夫々取付け、前記左右の側板１５には、横軸２１を中心とする円弧状にギヤ溝３０を形成し、該ギヤ溝３０には前記側板２３に軸装した操作軸３２に固定の歯車３１を噛み合わせ、前記操作軸３２に操作ダイヤル３５を固定状態に取付ける。【選択図】図２
2010148429.tif 000002
【特許請求の範囲】
【請求項１】
育苗容器を移送する移送台３の上方に位置する上部の供給ホッパー４と、該供給ホッパー４の下方に設けた繰出ベルト６と、前記供給ホッパー４と前記繰出ベルト６との間に形成された供給口７と、該供給口７に取付けた供給シャッター１０とを設け、該供給シャッター１０は、その左右の側板１５を前記移送台３に固定のフレーム２２の左右側板２３に横軸２１により回動自在に夫々取付け、前記左右の側板１５の何れか一方または両方には、横軸２１を中心とする円弧状にギヤ溝３０を形成し、該ギヤ溝３０には前記側板２３に軸装した操作軸３２に固定の歯車３１を噛み合わせ、前記操作軸３２に操作ダイヤル３５を固定状態に取付けた育苗容器用土供給装置の供給シャッター。
【請求項２】
請求項１において、前記供給シャッター１０は、下部の側面視略円弧形状の円弧部１２の上部に略直角に屈曲する屈曲部１４を形成し、円弧部１２と屈曲部１４の左右両側に前記ギヤ溝３０を設けた側板１５を一体状に形成した育苗容器用土供給装置の供給シャッター。
【請求項３】
請求項１または請求項２において、前記歯車３１は前記ギヤ溝３０の半径に対して小径の半径に形成した育苗容器用土供給装置の供給シャッター。
【請求項４】
育苗容器を移送する移送台３の上方に位置する上部の供給ホッパー４のフレーム２２の左右側板２３の間に、側面視略円弧形状の円弧部１２の上部に略直角に屈曲する屈曲部１４を形成して該円弧部１２と屈曲部１４の左右両側に前記ギヤ溝３０を設けた側板１５を一体状に形成した供給シャッター１０の前記左右側板１５を挿入し、左右側板１５の挿通孔２０に横軸２１を挿通して、供給シャッター１０を左右側板２３に回動自在に取付け、次に、歯車３１を供給シャッター１０のギヤ溝３０に噛み合わせ、この歯車３１の操作軸３２の前記側板２３から突出する部分に操作ダイヤル３５を取付ける育苗容器用土供給装置の供給シャッターの取付方法。
【発明の詳細な説明】
【技術分野】
【０００１】
本発明は育苗容器用土供給装置の供給シャッターおよびその取付方法に関するものである。
【背景技術】
【０００２】
従来、上部の供給ホッパーと、該供給ホッパーの下部に設けた繰出ベルトと、前記供給ホッパーと前記繰出ベルトとの間に形成された供給口と、該供給口に取付けた供給シャッタ−とからなるなるものにおいて、前記供給ホッパーの左右側壁には枢支軸の両端を軸支し、枢支軸の端部には該枢支軸を回転させる手動回転レバーの基部を固定した構成は、公知である（特許文献１参照）。
また、従来、シャッタ−に角孔を開口させ、角孔に角軸をガタなく取り付けた構成は公知である（特許文献１参照）。
【特許文献１】特開平５ー４９３１１号公報
【特許文献２】特開２００８ー９２８６５号公報
【発明の開示】
【発明が解決しようとする課題】
【０００３】
前記公知例のうち前者は、操作の角軸と、シャッタ−の角孔にがたがあり、供給シャッター１０の作動の精度が低いという課題がある。
前記公知例のうち後者は、操作角軸とシャッタ−の角孔との間の「がた」を解消させているが、構成が複雑であるという課題がある。
本願は、操作軸とシャッタ−との間の操作上の「がた」を低減させると共に、構成を簡素にしたものである。
【課題を解決するための手段】
【０００４】
本発明は、育苗容器を移送する移送台３の上方に位置する上部の供給ホッパー４と、該供給ホッパー４の下方に設けた繰出ベルト６と、前記供給ホッパー４と前記繰出ベルト６との間に形成された供給口７と、該供給口７に取付けた供給シャッター１０とを設け、該供給シャッター１０は、その左右の側板１５を前記移送台３に固定のフレーム２２の左右側板２３に横軸２１により回動自在に夫々取付け、前記左右の側板１５の何れか一方または両方には、横軸２１を中心とする円弧状にギヤ溝３０を形成し、該ギヤ溝３０には前記側板２３に軸装した操作軸３２に固定の歯車３１を噛み合わせ、前記操作軸３２に操作ダイヤル３５を固定状態に取付けた育苗容器用土供給装置の供給シャッターとしたものである。
本発明は、前記供給シャッター１０は、下部の側面視略円弧形状の円弧部１２の上部に略直角に屈曲する屈曲部１４を形成し、円弧部１２と屈曲部１４の左右両側に前記ギヤ溝３０を設けた側板１５を一体状に形成した育苗容器用土供給装置の供給シャッターとしたものである。
本発明は、前記歯車３１は前記ギヤ溝３０の半径に対して小径の半径に形成した育苗容器用土供給装置の供給シャッターとしたものである。
本発明は、育苗容器を移送する移送台３の上方に位置する上部の供給ホッパー４のフレーム２２の左右側板２３の間に、側面視略円弧形状の円弧部１２の上部に略直角に屈曲する屈曲部１４を形成して該円弧部１２と屈曲部１４の左右両側に前記ギヤ溝３０を設けた側板１５を一体状に形成した供給シャッター１０の前記左右側板１５を挿入し、左右側板１５の挿通孔２０に横軸２１を挿通して、供給シャッター１０を左右側板２３に回動自在に取付け、次に、歯車３１を供給シャッター１０のギヤ溝３０に噛み合わせ、この歯車３１の操作軸３２の前記側板２３から突出する部分に操作ダイヤル３５を取付ける育苗容器用土供給装置の供給シャッターの取付方法としたものである。
【発明の効果】
【０００５】
請求項１の発明では、供給シャッター１０の左右の側板１５の何れか一方または両方にギヤ溝３０を形成し、該ギヤ溝３０に操作ダイヤル３５の操作軸３２の歯車３１を噛み合わせているので、側板１５は横軸２１によりガタなく回動し、歯車３１は側板１５を横軸２１中心に回動させるだけとなり、操作上のガタを低減させることができ、また、供給シャッター１０にギヤ溝３０を形成したので、部品点数を少なくして構成を簡素にでき、製造・組立・組付を容易にでき、製造コストを低くすることができる。
請求項２の発明では、円弧部１２と屈曲部１４と側板１５を一体状に形成してるので、供給シャッター１０の剛性を向上させ、供給シャッター１０の作動を円滑・確実にさせることができる。
請求項３の発明では、歯車３１はギヤ溝３０の半径に対して小径の半径に形成しているので、操作量に対して供給シャッター１０の開閉量を小さくでき、微妙な調節ができ、操作性を向上させることができる。
請求項４の発明では、一体状のボックス形状に形成した供給シャッター１０を
供給ホッパー４のフレーム２２の左右側板２３の間に挿入して横軸２１により取り付ければよいので、頗る取付を容易にすることができ、この供給シャッター１０のギヤ溝３０に歯車３１を噛み合わせればよいので、操作軸３２および操作ダイヤル３５の取付も容易にすることができる。
【発明を実施するための最良の形態】
【０００６】
本発明の一実施例を図面により説明すると、１は育苗容器用土供給装置であり、公知の育苗容器を移送する移送ローラ２を有する移送台３の上方位置に設ける。育苗容器用土供給装置１は、上部に供給ホッパー４を設け、供給ホッパー４の下方位置には前記育苗容器の移送方向に所定間隔を置いて設けた一対のローラー５に巻回させた繰出ベルト６を設けて構成する。
前記供給ホッパー４と前記繰出ベルト６との間に供給口７を形成し、該供給口７には供給量調節用の供給シャッター１０を設ける。
【０００７】
供給シャッター１０は、側面視略円弧形状に形成した開閉弁１１を有する。開閉弁１１は、下部の側面視略円弧形状の円弧部１２の上部に略直線状の起立部１３を形成する。起立部１３の上縁には後側に屈曲させた屈曲部１４を形成する。
円弧部１２と起立部１３と屈曲部１４の左右両側にはこれらと略直角に交差するように屈曲させた左右側板１５を設ける。左右の側板１５の所定位置には取付孔２０を形成し、取付孔２０には横軸２１を挿入し、横軸２１により供給シャッター１０は育苗容器用土供給装置１のフレーム２２の左右側板２３に回動自在に取付ける。
【０００８】
しかして、側板１５には、前記横軸２１を中心とする円弧状にギヤ溝３０を形成する。ギヤ溝３０には、歯車３１を噛み合わせる。歯車３１は操作軸３２に固定状態に取付ける。操作軸３２はフレーム側板２３の挿通孔３３より外側に突出させ、操作ダイヤル３５を取付ける。操作軸３２の外周と操作ダイヤル３５の挿入孔（図示省略）には、所謂セレーション溝を形成し、互いに固定状態に取付ける。
移送台３の育苗容器の移送方向下手側には育苗容器に供給した余分な土を除いて均平する回転ブラシ３６を設け、回転ブラシ３６の移送方向下手側には灌水装置３７を設けている。また、灌水装置３７の移送方向下手側には図示は省略するが、種子供給装置や覆土供給装置を設けてもよい。
したがって、育苗容器用土供給装置１は種子供給装置や覆土供給装置を有する播種装置の一部を構成するものであってもよい。
【０００９】
（実施例の作用）
次に作用を述べる。
本発明は以上の構成であり、育苗容器用土供給装置１のフレーム２２の左右のフレーム側板２３間に供給シャッター１０を位置させ、一方のフレーム側板２３に左右の側板１５を横軸２１により回動自在に取付ける。
供給シャッター１０の側板１５のギヤ溝３０に歯車３１を噛み合わせると取付が完了する。
なお、歯車３１と操作軸３２と操作ダイヤル３５の組立順序は任意である。
【００１０】
操作ダイヤル３５を回すと、歯車３１が側板１５のギヤ溝３０を横軸２１中心に円弧移動させ、その結果、開閉弁１１は横軸２１中心に回転し、繰出ベルト６に対して遠近移動して供給口７の開口量を変更して、供給口７から繰り出される土の供給量を調節する。
【００１１】
この場合、供給シャッター１０は側板２３に左右の側板１５を横軸２１により夫々回動自在に取付けているので、左右の横軸２１の取付位置のみ注意すれば良く、供給シャッター１０の取付精度は格段に向上する。
また、供給シャッター１０の左右の一方の側板１５のギヤ溝３０に歯車３１により入力された操作力は、開閉弁１１を介して他方側の側板１５に伝達され、左右の側板１５が同時に横軸２１中心に回動する。
【００１２】
したがって、歯車３１と操作軸３２と操作ダイヤル３５の間に角軸嵌合により取り付けられる部分が無いので、操作中のガタの発生はない。
それゆえ、開閉弁１１の下縁は左右均等に上下させられる。
【００１３】
この場合、供給シャッター１０は、側面視略円弧形状の円弧部１２の上部に略直線状の起立部１３を形成し、起立部１３の上縁に後側に屈曲させた屈曲部１４を形成し、円弧部１２と起立部１３と屈曲部１４の左右両側に側板１５を設けて開閉弁１１を構成しているので、開閉弁１１は所謂ボックス形状になって、開閉弁１１の剛性を向上させ、操作時の開閉弁１１の下縁の左右均等の上下動の精度を向上させられる。
【００１４】
そのため、供給シャッター１０は、左右両側の側板１５を横軸２１に取付けるだけで取り付けることができ、取付が頗る簡単である。
また、供給シャッター１０の取付後、歯車３１の操作軸３２を側板２３の挿通孔３３に挿通させてから、歯車３１を供給シャッター１０のギヤ溝３０に噛み合わせ、この歯車３１の操作軸３２に操作ダイヤル３５を取付ければよく、取付け・組立作業が頗る容易である。
【００１５】
また、供給シャッター１０は、ギヤ溝３０の半径に対して歯車３１は小径の半径に形成しているから、操作ダイヤル３５の回転量に対するギヤ溝３０の回動量は遥かに小さくでき、供給量を調節するに当たって微妙な調節ができる。
【００１６】
この場合、供給シャッター１０の左右側板１５には、ギヤ溝３０を夫々形成し、育苗容器用土供給装置１のフレーム２２の左右側板２３の何れにも挿通孔３３を形成しているので、作業者の利き腕によって育苗容器用土供給装置１のフレーム２２の左右の何れの側にも操作ダイヤル３５を取付けることができ、操作性を向上させられる。
【図面の簡単な説明】
【００１７】
【図１】土供給装置の側面図。
【図２】供給シャッターの側面図。
【図３】供給シャッター付近の拡大側面図。
【図４】供給シャッターの縦断側面図。
【図５】供給シャッターの背面図。
【図６】供給シャッターの組立状態斜視図。
【符号の説明】
【００１８】
１…育苗容器用土供給装置、２…移送ローラ、３…移送台、４…供給ホッパー、５…ローラー、６…繰出ベルト、７…供給口、１０…供給シャッター、１１…開閉弁、
１２…円弧部、１３…起立部、１４…屈曲部、１５…側板、２０…取付孔、２１…横軸、２２フレーム、２３…側板、３０…ギヤ溝、３１…歯車、３２…操作軸、３３…挿通孔、３５…操作ダイヤル。
【図１】
2010148429.tif 000003
【図２】
2010148429.tif 000004
【図３】
2010148429.tif 000005
【図４】
2010148429.tif 000006
【図５】
2010148429.tif 000007
【図６】
2010148429.tif 000008